(57)【要約】【課題】ユーザーがコストを掛けずに様々な機種の飛行機を取り揃え、その飛行機を展示して楽しむことができるとともに旋回飛行させて楽しむことができる旋回飛行玩具を提供すること。【解決手段】旋回飛行玩具を飛行機玩具体１と、該飛行機玩具体１の底部に連結部材２を介して連結される動力ユニット体３と、飛行機玩具体１と動力ユニット体３とが連結された状態で上記飛行機玩具体１を吊り下げる吊り下げ部材４とで構成し、上記動力ユニット体３をモータ２５を動力としてプロペラ２２を回転させるプロペラユニット２０と、モータ２５モータに電力を供給する電源ユニット３４とで構成し、該電源ユニット３４を上記プロペラユニット２０に着脱可能に形成した。【選択図】図１
2005323946.tif 000002
【特許請求の範囲】
【請求項１】
以下の要件を備えることを特徴とする旋回飛行玩具。
（イ）上記旋回飛行玩具は飛行機玩具体と、該飛行機玩具体の底部に連結部材を介して連結される動力ユニット体と、飛行機玩具体と動力ユニット体とが連結された状態で上記飛行機玩具体を吊り下げる吊り下げ部材とを備えたこと
（ロ）上記動力ユニット体はモータを動力としてプロペラを回転させるプロペラユニットと、モータに電力を供給する電源ユニットとから構成され、該電源ユニットは上記プロペラユニットに着脱可能に形成されていること
【請求項２】
前記吊り下げ部材と前記連結部材との対向部分にはそれぞれ磁石を配設し、吊り下げ部材と前記連結部材とは磁石を介して連結される、請求項１記載の旋回飛行玩具。
【請求項３】
前記飛行機玩具体の底部には前記連結部材に代えて飛行機玩具体を支持する支持台を着脱可能に設けた請求項１記載の旋回飛行玩具。
【発明の詳細な説明】
【技術分野】
【０００１】
本発明は、旋回飛行玩具、詳しくは動力を持たない飛行機玩具体を旋回させることができる旋回飛行玩具に関するものである。
【背景技術】
【０００２】
従来、室内で飛行機玩具を飛行させて遊ぶ場合、飛行範囲を限定する必要からリモコンで操作する遠隔操作飛行機玩具に代えて天井から糸で吊り下げて旋回飛行をさせる旋回飛行玩具が知られている。しかしながら、単に旋回するだけでは飽きてしまうので飛行中に変化を伴う旋回飛行玩具が提案されている（例えば、特許文献１）。
【０００３】
この旋回飛行玩具は、電気スイッチを入れると、モータが作動し、推進軸を回転してプロペラを回転して機体に推進力を与えて旋回飛行させと同時に推進軸の回転で第１ウオーム歯車から、第２ウオーム歯車を経て最終段の平歯車を所定の回転まで減速回転させ、この減速回転で接点カムを回転させることにより可動接点板を上下に移動して固定接点板と間欠的に接触させ、航空灯を点滅させるようにしたものである。
【特許文献１】登録実用新案第３００８４４９号公報
【発明の開示】
【発明が解決しようとする課題】
【０００４】
本発明が解決しようとする問題点は、上述の飛行玩具は単に旋回飛行するだけではなく、航空灯を点滅させるのであたかも実際の飛行機が飛行しているような趣を味わうことはできるが、いつも同じ飛行機ばかりが旋回飛行することになり飽きてしまう問題があった。
【０００５】
また飛行機自体にプロペラを作動させる動力機構を備えているために一機あたりのコストが高くなり、気軽に他の飛行機を購入するということは費用の面からユーザーには大きな負担が発生し、気軽に飛行機を追加購入するということはできなかった。
【０００６】
本発明は、上記問題点を解決し、ユーザーがコストを掛けずに様々な機種の飛行機を取り揃え、その飛行機を展示して楽しむことができるとともに旋回飛行させて楽しむことができる旋回飛行玩具を提供することを課題とする。
【課題を解決するための手段】
【０００７】
前記課題を解決するために本発明に係る旋回飛行玩具は、以下の要件を備えることを特徴とする。
（イ）上記旋回飛行玩具は飛行機玩具体と、該飛行機玩具体の底部に連結部材を介して連結される動力ユニット体と、飛行機玩具体と動力ユニット体とが連結された状態で上記飛行機玩具体を吊り下げる吊り下げ部材とを備えたこと
（ロ）上記動力ユニット体はモータを動力としてプロペラを回転させるプロペラユニットと、モータに電力を供給する電源ユニットとから構成され、該電源ユニットは上記プロペラユニットに着脱可能に形成されていること
【０００８】
なお、前記吊り下げ部材と前記連結部材との対向部分にはそれぞれ磁石を配設し、吊り下げ部材と前記連結部材とは磁石を介して連結されるようにし、飛行機玩具体の上面に取り付けるための機構を設けなくても済むようにすることが好ましい。
【０００９】
また、前記飛行機玩具体の底部には前記連結部材に代えて飛行機玩具体を支持する支持台を着脱可能に設け、飛行させないときには展示物として展示できるようにしてもよい。
【発明の効果】
【００１０】
請求項１の発明によれば、飛行機玩具体には飛行させる動力やプロペラを配設する必要がないので、リアル感のあるスケールモデルを作ることができ、しかも外形だけなので製造コストを低減化することができ、ユーザーがコストを掛けずに様々な機種の飛行機を取り揃えることができるとともに、動力ユニット体を連結部材で取り付ける簡単な操作で飛行機構を備えていない飛行機玩具体を飛行させることができる。
【００１１】
請求項２の発明によれば、吊り下げ部材と連結部材とには互いに磁着する磁石を設けたので、飛行機玩具体と動力ユニット体とを連結部材で連結した状態の飛行機玩具体を吊り下げ部材で吊り下げることができ、飛行機玩具体の外観上には何ら吊り下げ部材に連係するものを必要とせず、形状を損なう加工が施されていないので外観上の美観を保つことができる。
【００１２】
請求項３の発明によれば、飛行機玩具体には連結部材に代えて支持台を取り付けることができるようにしたので飛行させないときには趣味として収集した飛行機玩具体を展示する楽しみを味わうことができる。
【発明を実施するための最良の形態】
【００１３】
旋回飛行玩具を飛行機玩具体と、該飛行機玩具体の底部に連結部材を介して連結される動力ユニット体と、飛行機玩具体と動力ユニット体とが連結された状態で上記飛行機玩具体を吊り下げる吊り下げ部材とで構成し、上記動力ユニット体がモータを動力としてプロペラを回転させるプロペラユニットと、モータに電力を供給する電源ユニットとで構成され、該電源ユニットを上記プロペラユニットに着脱可能に形成した。
【実施例１】
【００１４】
図１は、本発明に係る旋回飛行玩具を示し、この旋回飛行玩具は飛行機玩具体１と、この飛行機玩具体１の底部に連結部材２を介して連結される動力ユニット体３と、飛行機玩具体１と動力ユニット体３とが連結された状態で上記飛行機玩具体１を吊り下げる吊り下げ部材４とで構成されている。
【００１５】
飛行機玩具体１はジェット旅客機や戦闘機などの形状を有し、底部には上記連結部材２を挿入する凹部１０が形成されている。この凹部１０は前後方向に長溝状に形成されるとともに前部が円形状に形成されているものである（図２参照）。
【００１６】
連結部材２は、飛行機玩具体１と動力ユニット体３とを連結するもので、図３に示すように、立板部１１の下部が両側に張り出して係合縁１２が形成され、正面視略Ｔ字状に形成されたもので、立板部１１の前端は円筒状に膨出し、膨出部１３の内部には円柱状の磁石１４が嵌め込まれ、磁石１４の上端は膨出部１３から上方に突出している。この連結部材１２の水平方向の断面は上記飛行機玩具体１の凹部１０と同一形状に形成され、飛行機玩具体１の底部から差し込むことができるようになっている（図３参照）。
【００１７】
動力ユニット体３はプロペラユニット２０と電源ユニット３４とから構成され、プロペラユニット２０はユニットケース２１の後端にプロペラ２２が回転可能に取り付けられ、プロペラ２２のシャフト２３はプロペラユニット２０内部に突出し、先端に固定された歯車２４にはモータ２５の回転軸２６に固定されたピニオンギヤ２７が噛み合い、モータ２５が回転するとピニオンギヤ２７、歯車２４を介してシャフト２３が回転し、プロペラ２２が回転するようになっている。そして、ユニットケース２１の前端には電源ユニット３４の嵌合凸部３７を嵌め込む円形の嵌合凹部２８が形成され、この嵌合凹部２８の後部内壁面には２つの電極２９が露出して配設され、この電極２９と上記モータ２５とは電気的に接続され、この電極２９には電源ユニット３４の電極３９が接触するようになっている。
【００１８】
さらに、ユニットケース２１の上面には上記連結部材２を差し込むスリット３０が形成されている。
【００１９】
電源ユニット３４は上記モータ２５に電力を供給するもので、側面にネジ止めされたカバー３５を外すと電池３６を装填できる図示しない電池ボックスが露出するようになっており、電池ボックスの後端にはプロペラユニット２０の嵌合凹部２８に嵌め合わせる嵌合凸部３７が突出形成されている。この嵌合凸部３７の基部にはゴムのリング３８が嵌め合わされ、先端部にはプロペラユニット２０の嵌合凹部２８に配設された電極２９に接触し、モータ２５に電力を供給する２つの電極３９が配設されている。
【００２０】
吊り下げ部材４は、天井にネジで固定される固定板４０、フック部材４１、固定板４０とフック部材４１とを繋ぐテグスなどの透明な紐体４２から構成され、フック部材４１の底部には磁石４３が嵌め込まれている。この磁石４３は、上記連結部材２の磁石に磁着するように磁極が設定され、飛行機玩具体１の凹部１０に連結部材２を差し込むと、磁石１４と磁石４３とが磁着して飛行機玩具体１を吊り下げることができるようになっている。
【００２１】
次に、上記構成の旋回飛行玩具の使用態様について説明する。
【００２２】
先ず、固定板４０を天井にネジ止めし、飛行機玩具体１を吊り下げる環境を作る。次に、プロペラユニット２０のユニットケース２１に形成されたスリット３０に連結部材２を差し込み、電源ユニット３４の嵌合凸部３７をユニットケース２１の嵌合凹部２８に嵌め込む。このとき、電源ユニット３４を横にした状態で嵌め込めば電極２９と電極３９とは非接触状態になるように配設されているので、モータ２５は回転することはない。
【００２３】
なお、電源ユニット３４の嵌合凸部３７の基部にはゴムのリング３８が嵌め合わされているので、プロペラユニット２０と電源ユニット３４とは連結した状態が維持されるようになっている。
【００２４】
次に、連結部材２の上部を飛行機玩具体１の底面に形成された凹部１０に差し込み、フック部材４１の磁石４３を飛行機玩具体１の上面に接触させると、連結部材２の磁石１４とフック部材４１の磁石４３とが磁着し、飛行機玩具体１と動力ユニット体３とが連結した状態で天井から紐体４２で吊り下げられた状態になる。この状態で、電源ユニット３４を横から縦の状態に回動すると、電極２９と電極３９とが接触し、電池３６の電圧がモータ２５に印加されるのでモータ２５が回転を始める。モータ２５が回転すると、２７，２４を介してプロペラ２２が回転を始めるので、飛行機玩具体１から手を離し紐体４２で吊り下げた状態にすると、回転するプロペラ２２の推進力で旋回を始め、図５に示すように、飛行するための機構を備えていない飛行機玩具体１を旋回飛行させて楽しむことができる。
【実施例２】
【００２５】
図６は、旋回飛行玩具の他の楽しみ方を示すもので、飛行機玩具体１を飛行させずに展示して楽しむことができるようにしたものである。
【００２６】
図６において、符号５は飛行機玩具体１を支持する支持台を示し、この支持台５は基台５０と、基台５０の上面に長手方向に形成されたガイド溝５１にスライド移動可能に嵌め込まれた支持板５２とで構成され、支持板５２の上部前端には連結部材２の膨出部１３と同形の膨出部５３が形成され、飛行機玩具体１の底部に形成された凹部１０に支持板５２の上端を差し込めるようになっている。
【００２７】
連結部材２を凹部１０に差し込む代わりに支持台５の支持板５２の上端を凹部１０に差し込むと、図６に示すように、支持台５に飛行機玩具体１を支持させることができ、飛行させないときには展示して楽しむことができる。
【００２８】
飛行機玩具体１には底部に形成された凹部１０以外に形状を損なう加工が施されていないので、単に飛行機玩具を飾りとして展示するだけの楽しみを味わうことができる。
【００２９】
しかも、飛行機玩具には不自然なプロペラや動力機構を設ける必要がなくリアル感のあるスケールモデルを形成することができる。
【図面の簡単な説明】
【００３０】
【図１】本発明に係る旋回飛行玩具の構成を説明する側面図（実施例１）
【図２】飛行機玩具の底面図
【図３】動力ユニット体の構成を示す斜視図
【図４】上記動力ユニット体の構造を説明する要部断面図
【図５】旋回飛行玩具の作動状態を説明する斜視図
【図６】飛行機玩具の他の使用態様を説明する斜視図（実施例２）
【図７】上記飛行機玩具を展示物として使用した状態を説明する斜視図
【符号の説明】
【００３１】
１    飛行機玩具体
２    連結部材
３    動力ユニット体
４    吊り下げ部材
５    支持台
２０    プロペラユニット
２２    プロペラ
２５    モータ
２９    磁石
３４    電源ユニット
３９    磁石
【図１】
2005323946.tif 000003
【図２】
2005323946.tif 000004
【図３】
2005323946.tif 000005
【図４】
2005323946.tif 000006
【図５】
2005323946.tif 000007
【図６】
2005323946.tif 000008
【図７】
2005323946.tif 000009